(57)【要約】【課題】調整後の固定顎と可動顎との間隔が変化し難いモンキーレンチを提供することを課題とする。【解決手段】本発明は、固定顎を有するレンチ本体と、固定顎に対して接離方向に往復動可能な可動顎及び接離方向に歯が並ぶラックギアを有する可動体と、接離方向に延びる中心線周りに回転することで可動体を往復動させるウォームと、を備え、ウォームは、接離方向に並ぶ複数のウォームギアを有し、複数のウォームギアのそれぞれは、ラックギアと噛み合った状態で互いに独立して中心線周りに回転可能であることを特徴とする。【選択図】図１
2020015137.tif 000002
【特許請求の範囲】
【請求項１】
固定顎を有するレンチ本体と、
前記固定顎に対して接離方向に往復動可能な可動顎及び前記接離方向に歯が並ぶラックギアを有する可動体と、
前記接離方向に延びる中心線周りに回転することで前記可動体を往復動させるウォーム部と、を備え、
前記ウォーム部は、前記接離方向に並ぶ複数のウォームギアを有し、
前記複数のウォームギアのそれぞれは、前記ラックギアと噛み合った状態で互いに独立して前記中心線周りに回転可能である、モンキーレンチ。
【請求項２】
前記ウォーム部は、前記レンチ本体に設けられた窓孔に配置されると共に弾性部材を有し、
前記弾性部材は、隣り合う二つのウォームギアの間、及び前記窓孔を画定する壁部と前記接離方向における最も外側のウォームギアとの間、の少なくとも一方に配置され、
該弾性部材では、前記隣り合う二つのウォームギアの間隔又は前記壁部と前記最も外側のウォームギアとの間隔が小さくなることで、この間隔を大きくする方向の弾性力が生じ又は該弾性力が大きくなる、請求項１に記載のモンキーレンチ。
【請求項３】
前記弾性部材は、前記隣り合うウォームギアの間に配置され、
該弾性部材では、前記隣り合うウォームギア同士が最も離間した状態においても前記弾性力が生じている、請求項２に記載のモンキーレンチ。
【請求項４】
前記複数のウォームギアのそれぞれは、同じ形状である、請求項１〜３のいずれか１項に記載のモンキーレンチ。
【発明の詳細な説明】
【技術分野】
【０００１】
本発明は、モンキーレンチに関する。
【背景技術】
【０００２】
従来から、固定顎を有するレンチ本体と、固定顎に対して接離方向に往復動可能な可動顎及び前記接離方向に歯が並ぶラックギアを有する可動体と、ラックギアと噛み合った状態で前記接離方向に延びる中心線周りに回転することで可動体を往復動させるウォームギアと、を備えるモンキーレンチが知られている（特許文献１参照）。
【０００３】
このモンキーレンチでは、ウォームギアを中心線周りに回転させることで、固定顎と可動顎との間隔を、ボルトの頭部、ナット等の対象物の大きさに合わせ、固定顎と可動顎との間に対象物を挟み込んだ状態で対象物を回転させる。
【先行技術文献】
【特許文献】
【０００４】
【特許文献１】特開２０００−７１１７７号公報
【発明の概要】
【発明が解決しようとする課題】
【０００５】
しかし、上記のモンキーレンチでは、ウォームギアを滑らかに回転させることができるように、ラックギアとウォームギアとの間に遊びが設けられているため、対象物を何度も回転させていると、前記遊びによって可動顎が動き、固定顎と可動顎との間隔が変わってしまうといった問題が生じていた。
【０００６】
そこで、本発明は、調整後の固定顎と可動顎との間隔が変化し難いモンキーレンチを提供することを課題とする。
【課題を解決するための手段】
【０００７】
本発明のモンキーレンチは、固定顎を有するレンチ本体と、前記固定顎に対して接離方向に往復動可能な可動顎及び前記接離方向に歯が並ぶラックギアを有する可動体と、前記接離方向に延びる中心線周りに回転することで前記可動体を往復動させるウォーム部と、を備え、前記ウォーム部は、前記接離方向に並ぶ複数のウォームギアを有し、前記複数のウォームギアのそれぞれは、前記ラックギアと噛み合った状態で互いに独立して前記中心線周りに回転可能である。
【０００８】
かかる構成によれば、各ウォームギアを同方向に回転させて固定顎と可動顎との間隔を調整した後、複数のウォームギアのうちの少なくとも二つのウォームギアを相対回転させて（即ち、互いに接近又は離間させて）ラックギアの対応する歯にそれぞれが十分に押し付けられた状態（ロック状態）にすることで、前記押し付けに起因する摩擦力によって前記二つのウォームギアが回転することが抑えられ（即ち、各ウォームギアが同方向に回転するのが防がれ）、これにより、固定顎と可動顎との間隔が変化し難くなる。
【０００９】
前記モンキーレンチでは、前記ウォーム部は、前記レンチ本体に設けられた窓孔に配置されると共に弾性部材を有し、前記弾性部材は、隣り合う二つのウォームギアの間、及び前記窓孔を画定する壁部と前記接離方向における最も外側のウォームギアとの間、の少なくとも一方に配置され、該弾性部材では、前記隣り合う二つのウォームギアの間隔又は前記壁部と前記最も外側のウォームギアとの間隔が小さくなることで、この間隔を大きくする方向の弾性力が生じ又は該弾性力が大きくなってもよい。
【００１０】
かかる構成によれば、隣り合うウォームギアの間隔が狭くなるように、間に弾性部材が配置された二つのウォームギアを相対回転させ、又は、間に弾性部材が配置された壁部とウォームギアとの間隔が狭くなるように、該ウォームギアと他のウォームギアとを相対回転させてロック状態にすることで、弾性部材に生じた弾性力又はより大きくなった弾性力によってラックギアの対応する歯へのウォームギアの押し付け力がより大きくなるため、この押し付けられたウォームギアがより回転し難くなる。これにより、固定顎と可動顎との間隔がより変化し難くなる。
【００１１】
この場合、前記弾性部材は、前記隣り合うウォームギアの間に配置され、該弾性部材では、前記隣り合うウォームギア同士が最も離間した状態においても前記弾性力が生じていてもよい。
【００１２】
かかる構成によれば、隣り合うウォームギア同士が最も離間した状態においてもその間に配置された弾性部材において弾性力（隣り合うウォームギアの離間方向の弾性力）が生じているため、間に弾性部材が配置された二つのウォームギアを互いの間隔が広くなるように相対回転させてロック状態にしたときでも、ラックギアの対応する歯へのウォームギアの押し付力に弾性部材による弾性力を作用させることができる。
【００１３】
また、前記モンキーレンチでは、前記複数のウォームギアのそれぞれは、同じ形状であってもよい。
【００１４】
このように、各ウォームギアを同じ形状とすることで、複数のウォームギアの形状がそれぞれ異なる場合に比べ、コストを抑えることができる。
【発明の効果】
【００１５】
以上より、本発明によれば、調整後の固定顎と可動顎との間隔が変化し難いモンキーレンチを提供することができる。
【図面の簡単な説明】
【００１６】
【図１】図１は、本実施形態に係るモンキーレンチの正面図である。
【図２】図２は、前記モンキーレンチのヘッド部の断面図である。
【図３】図３は、前記モンキーレンチのウォーム部及び支軸の分解斜視図である。
【発明を実施するための形態】
【００１７】
以下、本発明の一実施形態について、図１〜図３を参照しつつ説明する。
【００１８】
本実施形態に係るモンキーレンチは、図１〜図３に示すように、固定顎２１１を有するレンチ本体２と、固定顎２１１に対して接離方向Ｃ１に往復動可能な可動顎３２を有する可動体３と、可動体３を往復動させるウォーム部４と、を備える。
【００１９】
レンチ本体２は、固定顎２１１が配置されるヘッド部２１と、ヘッド部２１から延び且つ使用者が把持する部位であるグリップ２２と、を有する。
【００２０】
ヘッド部２１は、固定顎２１１と、可動体３の往復動を案内するガイド部２１２と、ウォーム部４が内部に配置される窓孔２１３と、を有する。
【００２１】
固定顎２１１は、可動顎３２との間にボルトの頭、ナット等（対象物）を挟み込む部位である。この固定顎２１１は、接離方向Ｃ１と直交する第一挟持面２１１ａを有する。
【００２２】
ガイド部２１２は、接離方向Ｃ１に延びる孔状のガイド部本体２１２１と、このガイド部本体２１２１の周方向の一部を解放し且つ接離方向Ｃ１に延びる解放部２１２２と、を有する。本実施形態のガイド部２１２では、接離方向Ｃ１から見て、ガイド部本体２１２１は、円形状であり、解放部２１２２の幅は、ガイド部本体２１２１の内径より小さい。
【００２３】
窓孔２１３は、ヘッド部２１を貫通する穴である。本実施形態の窓孔２１３は、貫通方向から見て、矩形状の孔であり、接離方向Ｃ１において対向する辺（壁部）２１３ａの中央部同士を結ぶように窓孔２１３内を横断するように接離方向Ｃ１に延びる円柱状の支軸２１４を有する。この窓孔２１３は、ガイド部本体２１２１と連通している。また、窓孔２１３は、ガイド部本体２１２１と連通している。
【００２４】
可動体３は、接離方向Ｃ１に延び且つガイド部２１２内に配置される柱状部３１と、柱状部３１からガイド部２１２の解放部２１２２を通って接離方向と交差（本実施形態の例では直交）する方向に延びる可動顎３２と、を有する。
【００２５】
柱状部３１は、接離方向Ｃ１に歯３１１ａが並ぶラックギア３１１を含み、該ラックギア３１１を窓孔２１３内に露出させた状態でガイド部２１２内を接離方向Ｃ１に往復動する部位である。
【００２６】
可動顎３２は、接離方向Ｃ１と直交し且つ第一挟持面２１１ａと対向する第二挟持面３２ａを有し、ガイド部２１２に案内される柱状部３１と共に接離方向Ｃ１に往復動する。これにより、第二挟持面３２ａは、第一挟持面２１１ａとの平行を保ちつつ、第一挟持面２１１ａとの間隔を変更できる。
【００２７】
ウォーム部４は、接離方向Ｃ１に延びる中心線Ｃ２周りに回転することで可動顎３２を接離方向Ｃ１に往復動させる。このウォーム部４は、接離方向Ｃ１に並ぶ複数（本実施形態の例では、二つ）のウォームギア４１と、隣り合う二つのウォームギア４１の間、及び窓孔２１３を画定する壁部（辺２１３ａと対応する壁部）と接離方向Ｃ１における最も外側のウォームギア４１との間、の少なくとも一方に配置される弾性部材４２と、を有する。
【００２８】
複数のウォームギア４１のそれぞれは、ラックギア３１１と噛み合った状態で互いに独立して中心線Ｃ２周りに回転可能である。本実施形態のモンキーレンチ１では、中心線Ｃ２は、支軸２１４の中心線と一致し、複数のウォームギア４１のそれぞれは、同じ形状である。
【００２９】
具体的に、各ウォームギア４１は、支軸２１４が挿通される円筒状の筒状本体４１１と、筒状本体４１１の外周部に螺旋状に配置され、窓孔２１３内で露出するラックギア３１１と噛み合う（噛合する）歯４１２と、を有する。そして、各ウォームギア４１の歯４１２とラックギア３１１の歯３１１ａとは、可動体３が接離方向Ｃ１におけるガイド部２１２のいずれの位置にあるときでも、互いに噛み合っている。
【００３０】
本実施形態の弾性部材４２は、隣り合う二つのウォームギア４１の間に配置される。これら隣り合う二つのウォームギア４１の間隔が小さくなることで、弾性部材４２では、この間隔を大きくする方向の弾性力が生じ又は該弾性力が大きくなる。
【００３１】
本実施形態の弾性部材４２は、樹脂製のＯリングであり、穴に支軸２１４が挿通された状態で二つのウォームギア４１間に配置されている。このＯリングの厚さ寸法（穴の貫通方向の寸法）は、隣り合うウォームギア４１同士が最も離間しときの該ウォームギア４１同士の間隔より大きい。これにより、隣り合うウォームギア４１同士が最も離間した状態のときでも、弾性部材４２には隣り合うウォームギア４１同士の間隔を大きくする方向の弾性力が生じている。
【００３２】
このモンキーレンチ１では、ウォーム部４の二つのウォームギア４１を中心線Ｃ２周りに同方向に回転させることで、可動体３（可動顎３２）を接離方向Ｃ１に移動させ、固定顎２１１の第一挟持面２１１ａと可動顎３２の第二挟持面３２ａとの間隔を対象物（ボルトの頭、ナット等）に応じた寸法にする。このとき、各ウォームギア４１と可動体３のラックギア３１１との間には遊び（バックラッシュ等）が設けられているため、各ウォームギア４１は、スムーズに回転できる。
【００３３】
第一挟持面２１１ａと第二挟持面３２ａとの間隔が対象物に応じた間隔になると、続いて、二つのウォームギア４１を中心線Ｃ２周りに互いに反対方向に回転（相対回転）させる。このとき、二つのウォームギア４１のそれぞれを回転させてもよく、二つのウォームギア４１のうちの一方のウォームギア４１を回転させずに、他方のウォームギア４１のみを回転させてもよい。
【００３４】
例えば、二つのウォームギア４１の間隔（中心線Ｃ２方向の間隔）が広がる方向に各ウォームギア４１を回転させると、各ウォームギア４１は、互いに広がる方向に移動し、各ウォームギア４１の歯４１２がラックギア３１１の対応する歯３１１ａにそれぞれ当接する。これにより、各ウォームギア４１とラックギア３１１との間の遊びが無くなり、各ウォームギア４１のガタツキが抑えられる。
【００３５】
本実施形態のモンキーレンチ１では、さらに、ウォームギア４１の間隔が広がる方向に二つのウォームギア４１を相対回転させる。これにより、各ウォームギア４１の歯４１２がラックギア３１１の対応する歯３１１ａに強固に押し付けられ、各ウォームギア４１の歯４１２とラックギア３１１の対応する歯３１１ａとの間に十分な摩擦力が生じ、モンキーレンチ１がロック状態となる。
【００３６】
尚、モンキーレンチ１では、ウォームギア４１の間隔が狭くなる方向に二つのウォームギア４１を相対回転させることで、各ウォームギア４１の歯４１２をラックギア３１１の対応する歯３１１ａに強固に押し付けてロック状態にしてもよい。
【００３７】
このロック状態のモンキーレンチ１では、前記摩擦力によって各ウォームギア４１の回転が防がれるため、同じ大きさの対象物の回転作業（ボルトの頭、ナットの締め付け作業等）を多数回行っても、第一挟持面２１１ａと第二挟持面３２ａとの間隔が変わらない。
【００３８】
第一挟持面２１１ａと第二挟持面３２ａとの間隔を変更するときには、ラックギア３１１の対応する歯３１１ａに対する各ウォームギア４１の歯４１２の押し付け状態が解除されるまで、ウォームギア４１の間隔が狭くなる方向に二つのウォームギア４１を相対回転させ、モンキーレンチ１のロック状態を解除する。そして、ロック状態が解除されると、二つのウォームギア４１を同方向に回転させることにより、可動体３が接離方向Ｃ１に移動し、これにより、第一挟持面２１１ａと第二挟持面３２ａとの間隔が変わる。
【００３９】
以上のモンキーレンチ１によれば、各ウォームギア４１を同方向に回転させて固定顎２１１と可動顎３２との間隔を調整した後、二つのウォームギア４１を相対回転させて（即ち、互いに接近又は離間させて）ラックギア３１１の対応する歯３１１ａに各ウォームギア４１の歯４１２が十分に押し付けられた状態（ロック状態）にすることで、前記押し付けに起因する摩擦力によって二つのウォームギア４１が回転することが抑えられ（即ち、各ウォームギア４１が同方向に回転するのが防がれ）、これにより、固定顎２１１と可動顎３２との間隔（第一挟持面２１１ａと第二挟持面３２ａとの間隔）が変化し難くなる。
【００４０】
また、本実施形態のモンキーレンチ１では、弾性部材４２が隣り合う二つのウォームギア４１の間に配置され、該弾性部材４２では、隣り合う二つのウォームギア４１の間隔が小さくなることで、この間隔を大きくする方向の弾性力がより大きくなる。このため、隣り合うウォームギア４１の間隔が狭くなるように、間に弾性部材４２が配置された二つのウォームギア４１を相対回転させてロック状態にすることで、弾性部材４２において大きくなった弾性力によってラックギア３１１の対応する歯へのウォームギア４１の押し付け力がより大きくなる。このため、この押し付けられたウォームギア４１がより回転し難くなり、その結果、固定顎２１１と可動顎３２との間隔がより変化し難くなる。
【００４１】
また、本実施形態のモンキーレンチ１の弾性部材４２では、隣り合うウォームギア４１同士が最も離間した状態においても弾性力（隣り合うウォームギア４１の離間方向の弾性力）が生じている。このため、間に弾性部材４２が配置された二つのウォームギア４１を互いの間隔が広くなるように相対回転させてロック状態にしたときでも、ラックギア３１１の対応する歯へのウォームギア４１の押し付力に弾性部材４２による弾性力を作用させることができる。
【００４２】
また、本実施形態のモンキーレンチ１では、複数のウォームギア４１のそれぞれは、同じ形状である。このように、各ウォームギア４１を同じ形状とすることで、複数のウォームギア４１の形状がそれぞれ異なる場合に比べ、コストを抑えることができる。
【００４３】
尚、本発明のモンキーレンチは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４４】
上記実施形態のモンキーレンチ１では、隣り合う二つのウォームギア４１の間に弾性部材４２が配置されているが、この構成に限定されない。弾性部材４２は、窓孔２１３を画定する壁部（辺２１３ａと対応する壁部）と接離方向Ｃ１における最も外側のウォームギア４１との間に配置されていてもよい。
【００４５】
かかる構成によっても、互いの間隔が広がる方向に前記最も外側のウォームギア４１と他のウォームギア４１とを相対回転させてロック状態にしたときに、窓孔２１３を画定する前記壁部と前記最も外側のウォームギア４１との間に挟まれた弾性部材４２に生じた弾性力又はより大きくなった弾性力によって、ラックギア３１１の対応する歯３１１ａへの前記最も外側のウォームギア４１の押し付け力がより大きくなるため、この押し付けられた前記最も外側のウォームギア４１がより回転し難くなる。
【００４６】
また、上記実施形態のモンキーレンチ１では、ウォーム部４が二つのウォームギア４１を有しているが、この構成に限定されない。ウォーム部４は、三つ以上のウォームギア４１を有していてもよい。この場合、少なくとも二つのウォームギア４１を相対回転させることで、ロック状態にすることができる。
【００４７】
また、上記実施形態の弾性部材４２は、樹脂製のＯリングであるが、この構成に限定されない。弾性部材４２は、例えば、バネ部材であってもよい。即ち、弾性部材４２は、隣り合う二つのウォームギア４１の間、及び窓孔２１３を画定する壁部と接離方向Ｃ１における最も外側のウォームギア４１との間、の少なくとも一方に配置され、前記隣り合う二つのウォームギア４１の間隔又は前記壁部と前記最も外側のウォームギア４１との間隔が小さくなることで、この間隔を大きくする方向の弾性力が生じ又は該弾性力が大きくなる構成であればよい。
【符号の説明】
【００４８】
１…モンキーレンチ、２…レンチ本体、２１…ヘッド部、２１１…固定顎、２１１ａ…第一挟持面、２１２…ガイド部、２１２１…ガイド部本体、２１２２…解放部、２１３…窓孔、２１３ａ…辺、２１４…支軸、２２…グリップ、３…可動体、３１…柱状部、３１１…ラックギア、３１１ａ…ラックギアの歯、３２…可動顎、３２ａ…第二挟持面、４…ウォーム部、４１…ウォームギア、４１１…筒状本体、４１２…ウォームギアの歯、４２…弾性部材、Ｃ１…接離方向、Ｃ２…中心線
【図１】
2020015137.tif 000003
【図２】
2020015137.tif 000004
【図３】
2020015137.tif 000005